(57)【要約】      （修正有）【課題】使用時間の経過により先端部におけるソフトコンタクトレンズを挟持する機能が低下したら、先端部の簡単な保守によりソフトコンタクトレンズを挟持する機能を復帰させて長期の使用が可能なソフトコンタクトレンズ保持具を提供する。【解決手段】基端部１ａを一体にして先端部３ａ，４ａを離反させた一対の長尺な摘み片３，４からなり、前記両先端部３ａ，４ａは幅狭に形成され、該両先端部３ａ，４ａでソフトコンタクトレンズを挟持して目に装着し、又は目に装着したソフトコンタクトレンズを挟んで取り外すソフトコンタクトレンズの保持具であって、前記各摘み片３，４は、指先で保持可能な幅広のグリップ部８が長手方向の中央部分に対向して設けられているとともに、前記各先端部３ａ，４ａに柔軟性と摩擦力を有するサック９を着脱可能に装着して、ソフトコンタクトレンズの保持具を構成する。【選択図】図１
0003152983.tif 000002
【実用新案登録請求の範囲】
【請求項１】
基端部を一体にして先端部を離反させた一対の長尺な摘み片からなり、前記両先端部は幅狭に形成され、該両先端部でソフトコンタクトレンズを挟持して目に装着し、又は目に装着したソフトコンタクトレンズを挟んで取り外すソフトコンタクトレンズの保持具であって、
前記各摘み片は、指先で保持可能な幅広のグリップ部が長手方向の中央部分に対向して設けられているとともに、前記各先端部に柔軟性と摩擦力を有するサックが着脱可能に装着されていることを特徴とするソフトコンタクトレンズの保持具。
【考案の詳細な説明】
【技術分野】
【０００１】
本考案は、ソフトコンタクトレンズを目に装着、又は、目に装着したソフトコンタクトレンズを取り外すためのソフトコンタクトレンズ保持具に関するものである。
【背景技術】
【０００２】
ソフトコンタクトレンズは、ハードコンタクトレンズに比べて、柔軟性があり、目に装着した際の違和感が殆どないので、初めての人でもすぐに使用できる利点がある。しかし、コンタクトレンズは、目の表面を覆うので長時間使用すると目への酸素の供給が不足し、角膜が酸素不足に陥ることがあるので、時々目から取り外して、再装着する必要がある。この場合、ソフトコンタクトレンズを直接指で持って、目に装着したり、目から取り外すと、目が細菌やかびによる感染症を起こしやすくなる。そこで、指のかわりに器具を使って指がレンズに直接触れることなしに、衛生的に安全にソフトコンタクトレンズを目から外すことが提案されている。
【０００３】
例えば、特開２００９−６９７８７号公報に記載のトング型ソフトコンタクトレンズリムーバーは、目に装着したソフトコンタクトレンズに接着してレンズを挟んで取り外す装置であって、Ｖ字或はＵ字形状をなしその両肢が横方向に弾性を持ち、両肢の先端のレンズを挟む部分に左右一対の柔軟性と摩擦力を有する素材を使用した、指をレンズに触れることなく外せるもので、グリップ部分の内側にレンズ破損を防止するストッパーが設けてある。
【先行技術文献】
【特許文献】
【０００４】
【特許文献１】特開２００９−６９７８７号公報
【考案の概要】
【考案が解決しようとする課題】
【０００５】
上記のトング型ソフトコンタクトレンズリムーバーは、目に装着したソフトコンタクトレンズの外側を摘んで内側に折り曲げて目から取り出すものであるが、先端のレンズを挟む部分が柔軟性と摩擦力を有する素材で形成されていて摩耗しやすい為、すぐに新しい物に交換しなければならず、また、レンズを挟む部分が摩耗した状態であると、目に装着したソフトコンタクトレンズが折れ返っていると、折れ返った部分が掴みにくくなくなるので改善が望まれていた。
【０００６】
この考案は、上記課題を解決するもので、使用時間の経過により先端部におけるソフトコンタクトレンズを挟持する機能が低下したら、先端部の簡単な保守によりソフトコンタクトレンズを挟持する機能を復帰させて長期の使用が可能なソフトコンタクトレンズ保持具を提供することを目的とする。
【課題を解決するための手段】
【０００７】
上記課題を解決するために、請求項１記載の考案は、基端部を一体にして先端部を離反させた一対の長尺な摘み片からなり、前記両先端部は幅狭に形成され、該両先端部でソフトコンタクトレンズを挟持して目に装着し、又は目に装着したソフトコンタクトレンズを挟んで取り外すソフトコンタクトレンズの保持具であって、前記各摘み片は、指先で保持可能な幅広のグリップ部が長手方向の中央部分に対向して設けられているとともに、前記各先端部に柔軟性と摩擦力を有するサックが着脱可能に装着されていることを特徴とするソフトコンタクトレンズの保持具である。
【考案の効果】
【０００８】
本考案のソフトコンタクトレンズの保持具は、先端部に柔軟性と摩擦力を有するサックを着脱可能に装着したので、所定の使用時間が経過したらサックを交換すれば、先端部におけるソフトコンタクトレンズを挟持する機能が使用前の状態に復活するので長期の使用が可能である。
【図面の簡単な説明】
【０００９】
【図１】実施例１のソフトコンタクトレンズの保持具の斜視図である。
【図２】図１におけるＡ−Ａ線断面図である。
【図３】実施例１のソフトコンタクトレンズの保持具の使用例の説明図である。
【考案を実施するための形態】
【００１０】
以下、図面に基づいて本考案の実施の形態を説明する。
【実施例１】
【００１１】
図１は、実施例１のソフトコンタクトレンズの保持具の斜視図、図２は、図１におけるＡ−Ａ線断面図、図３は、実施例１のソフトコンタクトレンズの保持具の使用例の説明図である。
【００１２】
図１〜図３において、本考案に係るソフトコンタクトレンズの保持具１は、樹脂製の本体２がピンセット状に形成されて、基端部１ａを一体にした一対の長尺な摘み片３，４とからなっている。そして、両摘み片３，４の各先端部３ａ，４ａは幅狭に形成されている。両摘み片３，４は、長手方向の中央部分に親指６、人差し指７の各指先６ａ，７ａで保持可能な幅広のグリップ部８が形成されている。
【００１３】
そして、両摘み片３，４の各先端部３ａ，４ａには、柔軟性と摩擦力を有する素材からなるサック９が着脱可能に装着されている。両先端部３ａ，４ａは、サック９を装着した状態であれば、ソフトコンタクトレンズＳを挟持して目１０に装着し、又は目１０に装着したソフトコンタクトレンズＳを挟んで取り外すことができる。
【００１４】
そして、使用を開始してから時間が経過して先端部３ａ，４ａに装着したサック９が摩耗して、先端部３ａ，４ａにおけるソフトコンタクトレンズＳを挟持する機能が低下してきたら、新しいサック９と交換する。先端部３ａ，４ａは、サック９の交換という簡単な保守により、以前と同様にソフトコンタクトレンズを挟持する機能を復帰させることができ、目に装着したソフトコンタクトレンズが取り出しにくい場合、例えば、目に装着したソフトコンタクトレンズが折れ返ってしまった場合でも、この折れ返った部分を容易に掴んで取り出すことができる。
【００１５】
本考案のソフトコンタクトレンズの保持具は、使用時間の経過により先端部におけるソフトコンタクトレンズを挟持する機能が低下したら、サックを交換すれば、先端部におけるソフトコンタクトレンズを挟持する機能が使用前の状態に復活するので長期の使用が可能である。そして、ソフトコンタクトレンズの保持具において、長期の使用を可能にするために交換するのは、サックだけであり、その交換も簡単であり、管理が容易なものである。
【符号の説明】
【００１６】
１  ソフトコンタクトレンズの保持具
１ａ  基端部
２  樹脂製の本体
３，４  摘み片
３ａ，４ａ  先端部
６  親指
６ａ，７ａ  指先
７  人差し指
８  グリップ部
９  サック
１０  目
Ｓ  ソフトコンタクトレンズ
【図１】
0003152983.tif 000003
【図２】
0003152983.tif 000004
【図３】
0003152983.tif 000005